(57)【特許請求の範囲】
【請求項１】
かご扉と共にかご室を囲むように配置された複数の側板と、
前記かご室を上方から囲むように前記側板の上部に配置されて、前記かご室側に天井面が形成された天井板と、
前記天井面に取り付けられた照明器具と、
前記天井面を貫通して前記天井面の下方にねじ部先端があるように固定されて、前記ねじ部先端部付近に締付け用ナットを備えた引掛用ボルトと、
前記天井板に着脱可能で、前記天井板に装着されているときに上下に開口する環状で、前記照明器具を水平方向から覆うように形成されて、前記天井板に取り付けられる取付け面部およびこの取付け面部に垂直な側面部が形成された照明ケースと、
前記天井板に装着された前記照明ケースを、前記照明ケースの下方から上方に向かって前記照明ケースの開口部を塞ぐように構成された照明カバーと、
を有し、
前記照明ケースには、前記取付け面部および側面部に互いに連通する引掛用長穴が形成されて、この引掛用長穴は、前記ねじ部が貫通可能で且つ前記締付け用ナットが縁面に係合可能な幅狭長穴部と、この幅狭長穴部に連通し前記側面部に形成されて前記締付け用ナットおよびねじ部が貫通可能な幅広長穴部と、を含み、
前記照明ケースは、
前記側板上に前記天井板がある状態で、前記幅広長穴部に前記ねじ部および締付け用ナットを貫通させて、この貫通部位を回動中心として回動可能で、回動後に前記引掛用長穴が形成された側に対向する側の前記取付け面部が前記天井面に接した状態で前記締付け用ナットを締め付けて固定可能に構成されていること、
を特徴とするエレベータ乗りかご。
【請求項２】
前記幅広長穴部近傍の前記幅狭長穴部の縁面両側それぞれに、環状の内側に突出する凸部が形成されていること、を特徴とする請求項１に記載のエレベータ乗りかご。
【請求項３】
前記幅広長穴部の前記幅狭長穴部側の縁面が、前記幅狭長穴部が延びる方向に環状の内側に向かって折り曲げられていること、を特徴とする請求項１の記載のエレベータ乗りかご。
【請求項４】
前記幅広長穴部の前記幅狭長穴部が延びる方向に垂直な幅方向の両側の縁面が、前記幅方向に環状の内側に向かって折り曲げられた幅方向折曲げ部が形成されて、
前記締付け用ナットは前記幅方向折曲げ部を撓ませながら前記幅広長穴部を貫通し、前記締付け用ナットが貫通した後に、前記幅方向折曲げ部は撓む前の状態に戻るように構成されていること、を特徴とする請求項１に記載のエレベータ乗りかご。
【請求項５】
前記幅広長穴部の両側の縁面それぞれに、環状の内側に向かって延びる板ばねが設けられて、
前記締付け用ナットは前記板ばねを弾性変形させながら前記幅広長穴部を貫通し、前記締付け用ナットが貫通した後に、前記板ばねは弾性変形前の状態に戻るように構成されていること、を特徴とする請求項１に記載のエレベータ乗りかご。
【請求項６】
ねじ先端部が前記天井面の下方にあるように、前記天井面を貫通して固定される固定用ボルトを有し、
前記照明ケースは、
前記引掛用長穴に対向する側の前記取付け面部に、前記固定用ボルトが貫通可能な固定用穴が形成されて、
前記引掛用長穴が形成された側に対向する側の前記取付け面部が前記天井面に接した状態で、前記固定用穴に前記固定用ボルトのねじ部を貫通させて、前記固定用ボルトに固定用ナットを取り付けて固定可能に構成されていること、
を特徴とする請求項１ないし請求項５のいずれか一項に記載のエレベータ乗りかご。
【請求項７】
前記固定用穴は、前記固定用ボルトおよび固定用ナットが貫通可能な大径部と、前記固定用ナットが縁面に係合可能な小径部と、を含み、
前記大径部および小径部が互いに一部重なりながら並ぶように構成されていること、
を特徴とする請求項６に記載のエレベータ乗りかご。
【請求項８】
上方に向かって曲げられた係合部が形成された固定用ブラケットが前記天井面に設けられて、
前記照明ケースは、
前記引掛用長穴に対向する側の前記取付け面部に、前記固定用ブラケットが係合可能なブラケット用穴が形成されて、
前記引掛用長穴が形成された側に対向する側の前記取付け面部が前記天井面に接した状態で、前記ブラケット用穴に前記固定用ブラケットを貫通させて、前記ブラケット用穴の縁面に前記係合部を係合させて固定可能に構成されていること、
を特徴とする請求項１ないし請求項７のいずれか一項の記載のエレベータ乗りかご。
【請求項９】
前記固定用ブラケットは、天井面に垂直な軸周りを回転可能で、
前記照明ケースは、
前記引掛用長穴が形成された側に対向する側の前記取付け面部が前記天井面に接した状態で、前記ブラケット用穴に前記固定用ブラケットを貫通させて、前記ブラケット用穴の縁面に前記係合部を係合させて、前記固定用ブラケットを前記軸周りに回転させて固定可能に構成されていること、
を特徴とする請求項８に記載のエレベータ乗りかご。
【請求項１０】
上方に向かって曲げられた係合部が形成された第１固定用ブラケットが前記天井面に設けられて、
前記照明ケースは、
前記引掛用長穴に対向する側の前記取付け面部に、前記第１固定用ブラケットが貫通可能な貫通穴が形成されて、
前記側面部には、前記第１固定用ブラケットに係合可能な第２固定用ブラケットが設けられて、
前記引掛用長穴が形成された側に対向する側の前記取付け面部が前記天井面に接した状態で、前記貫通穴に前記第１固定用ブラケットを貫通させて、前記第１固定用ブラケットを前記第２固定用ブラケットに係合させて固定可能に構成されていること、
を特徴とする請求項１ないし請求項７のいずれか一項の記載のエレベータ乗りかご。
【請求項１１】
前記第１固定用ブラケットは、前記天井面に垂直な軸周りに回転可能に構成されていること、を特徴とする請求項１０に記載のエレベータ乗りかご。
【請求項１２】
前記第２固定用ブラケットは、前記側面部に垂直な軸周りを回転可能に構成されていること、を特徴とする請求項１０または請求項１１に記載のエレベータ乗りかご。
【発明の詳細な説明】
【技術分野】
【０００１】
本発明は、天井板の照明装置が取り付けられてエレベータ乗りかごに関する。
【背景技術】
【０００２】
エレベータ乗りかごは、かご枠の内側に床板、複数の側板、天井板等が設けられて、これらによってかご室を囲うように構成されている。この天井板には、照明器具が取り付けられている。この照明器具は、照明ケース等によって覆われている。
【０００３】
通常、照明器具および照明ケースを含む照明装置は、天井板と一体的に組み立てられた状態で、側板の上部に取り付けられる。当該照明装置は、エレベータを据付後に、仕様変更のために照明デザインを変更するために照明ケースを交換する必要がある。照明装置の照明デザインを変更する方法として、例えば、特許文献１に開示されているように、照明板を変更するだけで、照明ランプの位置が変更可能になるもの等が知られている。
【先行技術文献】
【特許文献】
【０００４】
【特許文献１】特開２００６−１９９４０１号公報
【発明の概要】
【発明が解決しようとする課題】
【０００５】
ところが、照明ケースが天井板と一体的に組み立てられている場合、仕様変更や補修等により照明ケースを交換するときには、天井板を側板から取り外した後に、照明ケースの交換作業を行う必要があった。側板から天井板を取り外すためには、揚重機等の設備を用いるため、大掛かりな作業で、作業時間が長くなることがある。
【０００６】
本発明は上述した課題を解決するためになされたものであり、その目的は、エレベータ乗りかごの照明装置を効率よくメンテナンスできるようにすることである。
【課題を解決するための手段】
【０００７】
上記目的を達成するための本発明に係るエレベータ乗りかごは、かご扉と共にかご室を囲むように配置された複数の側板と、前記かご室を上方から囲むように前記側板の上部に配置されて、前記かご室側に天井面が形成された天井板と、前記天井面に取り付けられた照明器具と、前記天井面を貫通して前記天井面の下方にねじ部先端があるように固定されて、前記ねじ部先端部付近に締付け用ナットを備えた引掛用ボルトと、前記天井板に着脱可能で、前記天井板に装着されているときに上下に開口する環状で、前記照明器具を水平方向から覆うように形成されて、前記天井板に取り付けられる取付け面部およびこの取付け面部に垂直な側面部が形成された照明ケースと、前記天井板に装着された前記照明ケースを、前記照明ケースの下方から上方に向かって前記照明ケースの開口部を塞ぐように構成された照明カバーと、を有し、前記照明ケースには、前記取付け面部および側面部に互いに連通する引掛用長穴が形成されて、この引掛用長穴は、前記ねじ部が貫通可能で且つ前記締付け用ナットが縁面に係合可能な幅狭長穴部と、この幅狭長穴部に連通し前記側面部に形成されて前記締付け用ナットおよびねじ部が貫通可能な幅広長穴部と、を含み、前記照明ケースは、前記側板上に前記天井板がある状態で、前記幅広長穴部に前記ねじ部および締付け用ナットを貫通させて、この貫通部位を回動中心として回動可能で、回動後に前記引掛用長穴が形成された側に対向する側の前記取付け面部が前記天井面に接した状態で前記締付け用ナットを締め付けて固定可能に構成されていること、を特徴とする。
【発明の効果】
【０００８】
本発明によれば、エレベータ乗りかごの照明装置を効率よくメンテナンスすることが可能になる。
【図面の簡単な説明】
【０００９】
【図１】本発明に係る第１の実施形態のエレベータ乗りかごの概略正面図である。
【図２】図１のII−II矢視下面図である。
【図３】図１のIII部の拡大正面図である。
【図４】図１の照明ケースの概略斜視図である。
【図５】図４のV部拡大斜視図である。
【図６】図１の照明ケースを作業者が引掛用ボルトに引っ掛ける作業の状態を模式的に示す概略斜視図である。
【図７】図６の天井板の引掛用ボルトに照明ケースを引掛けた状態を模式的に示す概略正面図である。
【図８】図７のVIII−VIII矢視側面図である。
【図９】図７のIX部拡大正面図である。
【図１０】図７の照明ケースおよび引掛用ボルト等を示す拡大斜視図であって、（ａ）は引掛用ボルトが幅広長穴部内に挿入される前の状態を示し、（ｂ）は引掛用ボルトが幅広長穴部内に挿入された状態を示し、（ｃ）は引掛用ボルトが幅狭長穴部内にある状態を示し、（ｄ）は照明ケースが回動後の状態を示している。
【図１１】図７の照明ケースを回動させて天井板に取り付ける途中の３種類の位置の状態を重ね合わせて示す概略正面図である。
【図１２】図１１のXII部の拡大正面図である。
【図１３】図１２の照明ケースの取付け面部が天井面に接した状態を示す拡大正面図である。
【図１４】図１３のXIV−XIV矢視の固定用ボルト付近およびこの固定用ボルトに対向する引掛用ボルト等を示す下面図である。
【図１５】図１３の照明ケースを平行移動させて固定用ボルトが小径部にある状態を示す拡大正面図である。
【図１６】図１５のXVI−XVI矢視の固定用ボルト付近およびこの固定用ボルトに対向する引掛用ボルト等を示す下面図である。
【図１７】本発明に係るエレベータ乗りかごの第２の実施形態で、引掛用ボルトおよび引掛用長穴等を模式的に示す概略斜視図である。
【図１８】図１７の引掛用ボルトが引掛用長穴に挿入された状態を示す概略正面図である。
【図１９】本発明に係るエレベータ乗りかごの第３の実施形態で、引掛用ボルトおよび引掛用長穴等を模式的に示す概略正面図で、幅広長穴部に引掛用ボルトが挿入された状態を示している。
【図２０】図１９の引掛用ボルトが、幅広長穴部から幅狭長穴部へ平行移動した後の状態を示す概略正面図である。
【図２１】本発明に係るエレベータ乗りかごの第４の実施形態の照明ケースの側面部に形成された引掛用長穴等を模式的に示す概略側面図である。
【図２２】図２１の幅広長穴部に引掛用ボルトが挿入される状態を示す概略正面図で、（ａ）は幅広長穴部にくさび形ナット付きの引掛用ボルトが挿入される前の状態を示し、（ｂ）は挿入途中の状態を示し、（ｃ）は挿入が完了した状態を示す。
【図２３】本発明に係るエレベータ乗りかごの第５の実施形態の照明ケースの側面部に形成された引掛用長穴等を模式的に示す概略側面図である。
【図２４】図２３の幅広長穴部に引掛用ボルトが挿入される状態を示す概略正面図で、（ａ）は幅広長穴部に締付け用ナット付きの引掛用ボルトが挿入される前の状態を示し、（ｂ）は挿入途中の状態を示し、（ｃ）は挿入が完了した状態を示す。
【図２５】本発明に係るエレベータ乗りかごの第６の実施形態で、引掛用ボルトが引掛用長穴の幅狭長穴部に挿入された状態、および固定用ボルトが固定用穴の小径部に挿入された状態を模式的に示す概略下面図である。
【図２６】図２５の引掛用ボルトが嵌込部内にある状態および固定用ボルトが大径部内にある状態を示す概略下面図である。
【図２７】本発明に係るエレベータ乗りかごの第７の実施形態で、照明ケースが回動して取付け面部が天井面に近づいている状態を模式的に示す概略正面図である。
【図２８】図２７の取付け面部が天井面に接した状態を示す概略正面図である。
【図２９】図２８のXXIX−XXIX矢視の固定用ボルト付近およびこの固定用ボルトに対向する引掛用ボルト等を示す下面図である。
【図３０】本発明に係るエレベータ乗りかごの第８の実施形態で、照明ケースが回動して取付け面部が天井面に近づいている状態を模式的に示す概略正面図である。
【図３１】図３０の取付け面部が天井面に接した状態を示す概略正面図である。
【図３２】図３１のXXXII−XXXII矢視の固定用ボルト付近およびこの固定用ボルトに対向する引掛用ボルト等を示す下面図である。
【図３３】本発明に係るエレベータ乗りかごの第９の実施形態で、照明ケースが回動して取付け面部が天井面に近づいている状態を模式的に示す概略正面図である。
【図３４】図３３の取付け面部が天井面に接した状態を示す概略正面図である。
【図３５】図３４のXXXV−XXXV矢視の固定用ボルト付近およびこの固定用ボルトに対向する引掛用ボルト等を示す下面図である。
【図３６】本発明に係るエレベータ乗りかごの第１０の実施形態で、照明ケースが回動して取付け面部が天井面に近づいている状態を模式的に示す概略正面図である。
【図３７】図３６の取付け面部が天井面に接した状態を示す概略正面図である。
【図３８】図３７のXXXVIII−XXXVIII矢視の固定用ボルト付近およびこの固定用ボルトに対向する引掛用ボルト等を示す下面図である。
【図３９】本発明に係るエレベータ乗りかごの第１１の実施形態で、照明ケースが回動して取付け面部が天井面に接した状態を模式的に示す概略正面図である。
【図４０】本発明に係るエレベータ乗りかごの第１２の実施形態で、照明ケースが回動して取付け面部が天井面に接した状態を模式的に示す概略正面図である。
【図４１】本発明に係るエレベータ乗りかごの第１３の実施形態で、照明ケースが回動して取付け面部が天井面に近づいている状態を模式的に示す概略正面図である。
【図４２】図４１の取付け面部が天井面に接した状態を示す概略正面図である。
【図４３】図４２のXLIII−XLIII矢視側面図である。
【図４４】図４３の穴あき側面ブラケットが回動して、固定ブラケットとの係合が外れた状態を示す側面図である。
【発明を実施するための形態】
【００１０】
以下、本発明に係るエレベータ乗りかごの実施形態について、図面を参照して説明する。
【００１１】
［第１の実施形態］
本発明に係るエレベータ乗りかごの第１の実施形態について、図１〜図１６を用いて説明する。図１は、本実施形態のエレベータ乗りかごの概略正面図である。図２は、図１のII−II矢視下面図である。図３は、図１のIII部の拡大正面図である。図４は、図１の照明ケース５の概略斜視図である。図５は、図４のV部拡大斜視図である。
【００１２】
図６は、図１の照明ケース５を作業者が引掛用ボルト１１に引っ掛ける作業の状態を模式的に示す概略斜視図である。ここで、図６では、照明器具２の図示を省略している。
【００１３】
図７は、図６の天井板の引掛用ボルト１１に照明ケース５を引掛けた状態を模式的に示す概略正面図である。図８は、図７のVIII−VIII矢視側面図である。図９は、図７のIX部拡大正面図である。
【００１４】
図１０は、図７の照明ケース５および引掛用ボルト１１等を示す拡大斜視図であって、（ａ）は引掛用ボルト５が幅広長穴部２２内に挿入される前の状態を示し、（ｂ）は引掛用ボルト１１が幅広長穴部２２内に挿入された状態を示し、（ｃ）は引掛用ボルト１１が幅狭長穴部２３内にある状態を示し、（ｄ）は照明ケース５が回動後の状態を示している。図１１は、図７の照明ケース５を回動させて天井板１に取り付ける状態を示す概略正面図である。図１２は、図１１のXII部の拡大正面図である。
【００１５】
図１３は、図１２の照明ケース５の取付け面部５ａが天井面１ａに接した状態を示す拡大正面図である。図１４は、図１３のXIV−XIV矢視の固定用ボルト１５付近およびこの固定用ボルト１５に対向する引掛用ボルト１１等を示す下面図である。
【００１６】
図１５は、図１３の照明ケース５を平行移動させて固定用ボルト５が小径部３２にある状態を示す拡大正面図である。図１６は、図１５のXVI−XVI矢視の固定用ボルト１５付近およびこの固定用ボルト１５に対向する引掛用ボルト１１等を示す下面図である。
【００１７】
先ず、本実施形態のエレベータ乗りかごの構成について、図１〜図５、図１４および図１６を用いて説明する。
【００１８】
このエレベータ乗りかごは、鉛直に長い略直方体状のかご室９を囲むように配置された複数の側板３と、当該エレベータ乗りかごに搭乗するための出入り口に配置されたかご扉（図示せず）と、かご室９を上方から囲むように側板３の上部に配置された天井板１と、かご床板４と、を有する。また、このエレベータ乗りかごは、天井板１の着脱可能な照明ケース５と、この照明ケース５に着脱可能な照明カバー６と、を有する。
【００１９】
かご扉は、開閉可能で、閉止しているときはかご室９を囲むように構成されている。かご扉が開いているときに、乗客はかご室９への乗降が可能である。
【００２０】
天井板１は、かご室９側に略長方形状の天井面１ａが形成されて、この天井面１ａには蛍光灯等の照明器具２が取り付けられている。この天井板１には、天井面１ａを貫通した状態の引掛用ボルト１１が２つ固定されている（図１では１つのみ示している。）。これらの引掛用ボルト１１は、天井面１ａの１つの辺に沿って、互いに間隔をあけて配列されている。これらの引掛用ボルト１１それぞれのねじ部先端部が、天井面１ａの下方、すなわち、かご室９内にあるように固定されている。各ねじ部先端付近には、締付け用ナット１２が取り付けられている。
【００２１】
また、天井板１には、２つの固定用ボルト１５が配置されている（図１では１つのみ示している。）。これらの固定用ボルト１５は、２つの引掛用ボルト１１に近接する天井面１ａの辺に対向する辺に沿って、互いに間隔をあけて配列されている。すなわち、２つの固定用ボルト１５が並ぶ方向と、２つの引掛用ボルト１１が並ぶ方向とは、互いに平行である。これらの固定用ボルト１５は、引掛用ボルト１１と同様に、それぞれのねじ部先端が天井面１ａを貫通して当該天井面１ａの下方にある状態で固定されている。また、これらの固定用ボルト１５それぞれのねじ部には、固定用ナット１６が取り付けられている。
【００２２】
本実施形態では、４つのボルト、すなわち２つの引掛用ボルト１１および２つの固定用ボルト１５で、長方形を形成するように配置されている。
【００２３】
照明ケース５は、略正方形状で、天井板１に装着されているときに上下に開口する環状で、照明器具２を水平方向から覆うように構成されている。また、この照明ケース５は、天井板１に取り付けられる取付け面部５ａと、この取付け面部５ａに垂直な側面部５ｂと、が形成されている。
【００２４】
また、この照明ケース５には、取付け面部５ａおよび側面部５ｂに互いに連通する引掛用長穴２０が２つ形成されている。これらの引掛用長穴２０それぞれは、幅狭長穴部２３および幅広長穴部２２を有する（図５）。
【００２５】
幅狭長穴部２３は、引掛用ボルト１１のねじ部が貫通可能で且つ締付け用ナット１２が縁面に係合可能である。幅狭長穴部２３は、取付け面部５ａおよび側面部５ｂそれぞれに形成された略長方形状の長穴が連通するように構成されている。また、この幅狭長穴部２３は、取付け面部５ａおよび側面部５ｂが交わる、すなわち稜線となる辺に垂直に延びている。
【００２６】
幅広長穴部２２は、側面部５ｂに形成されており、当該ねじ部および締付け用ナット１２が貫通可能である。また、この幅広長穴部２２は、側面部５ｂに形成された幅狭長穴部２３の、当該稜線となる辺から離れた方の端部に形成されている。この幅広長穴部２２は、略正方形状の穴である。
【００２７】
また、照明ケース５は、引掛用長穴２０が形成された取付け面部５ａに対向する側の取付け面部５ａに、固定用ボルト１５が貫通可能な固定用穴３０が２つ形成されている。これらの固定用穴３０それぞれは、異なる径の部位、すなわち、大径部３１（図１６）および小径部３２（図１４）を有している。
【００２８】
大径部３１は、固定用ボルト１５と、この固定用ボルト１５に取付け可能な固定用ナット１６と、が貫通可能に形成されている。小径部３２は、固定用ボルト１５のねじ部は貫通可能で、縁面に固定用ナット１６が係合するように形成されている。この固定用穴３０は、当該大径部３１および小径部３２が、引掛用長穴２０が延びる方向に沿って一部重なりながら並ぶように配列されて構成されている。
【００２９】
照明カバー６は、照明ケース５が天井板１に装着されているときに、照明ケース５の下方から上方に向かって照明ケース５の開口部を塞ぐように構成されている。
【００３０】
続いて、かご室９を囲むように設置された側板３の上部に固定された天井板１に、照明ケース５を取り付ける作業手順について、図６〜図１６を用いて説明する。照明ケースを取り付けるときには、照明器具２は予め装着されているものとする。
【００３１】
先ず、図６および図１０（ａ）に示すように、引掛用長穴２０が形成された側面部５ｂが上方になるように配置する。次に、図７〜図９、および図１０（ｂ）に示すように、締付け用ナット１２および引掛用ボルト１１のねじ部の先端が、当該引掛用長穴２０の幅広長穴部２２を貫通するように配置する。
【００３２】
この後に、図１０（ｂ）の状態から図１０（ｃ）の状態になるように、すなわち、引掛用ボルト１１のねじ部が、幅広長穴部２２内にある状態から、側面部５ｂの幅狭長穴部２３内にあるように平行移動させる。この状態（図１０（ｃ））で、幅狭長穴部２３の縁面に、締付け用ナット１２が引っ掛かるため、照明ケース５は、引掛用ボルト１１に係合された状態が保持される。
【００３３】
次に、図１１に示すように、この係合部付近を中心にして照明ケース５を回動さて、図１２に示すように、固定用穴３０が形成された取付け面部５ａを固定用ボルト１５に近づける。回動後の引掛用ボルト１１および引掛用長穴２０の位置関係は、図１０（ｄ）に示すように配置される。
【００３４】
回動させた後に、図１３および図１４に示すように、固定用穴３０の大径部３１に、固定用ナット１６および固定用ボルト１５のねじ部を貫通させる。この後に、大径部３１を貫通したねじ部を小径部３２へ図１３および図１４の矢印Ａの方向（図中右方向）に平行移動させる。平行移動後に、図１５および図１６に示すように、小径部３２の縁面に固定用ナット１６が係合する状態を保つようにする。このとき、当該係合によって、照明ケース５が落下しない状態を保持している。この後に、固定用ナット１６を締め付けて、照明ケース５を固定する。以上の作業手順によって、照明ケース５の取付けが完了する。
【００３５】
天井板１に装着された照明ケース５を取り外すときは、上記の手順を逆に行えばよい。
【００３６】
以上の説明からわかるように、本実施形態によれば、天井板１が側板３上部に取り付けられた状態で、かご室９内からの作業によって、天井面１ａに照明ケース５を設置すること、または取り外しすることが可能になる。これにより、照明ケース５を交換するときに、天井板１を側板３から取り外すために揚重機等の設備を用いる必要がなく、より短時間に効率よく作業を行うことができる。よって、エレベータ乗りかごの照明装置を効率よくメンテナンスすることが可能になる。
【００３７】
［第２の実施形態］
本発明に係るエレベータ乗りかごの第２の実施形態について、図１７および図１８を用いて説明する。図１７は、本実施形態のエレベータ乗りかごの引掛用ボルト１１および引掛用長穴２０等を模式的に示す概略斜視図である。図１８は、図１７の引掛用ボルト１１が引掛用長穴２０に挿入された状態を示す概略正面図である。なお、本実施形態は、第１の実施形態の変形例であって、第１の実施形態と同一部分または類似部分には、同一符号を付して、重複説明を省略する。
【００３８】
本実施形態のエレベータ乗りかごに取り付けられる照明ケース５は、幅狭長穴部２３の両側それぞれの縁面で且つ幅広長穴部２２に近い部位に、引掛用リベット２７が取り付けられている。これらの引掛用リベット２７は、取付け面部５ａの表裏両側それぞれに垂直に突出するように取り付けられている。
【００３９】
照明ケース５を天井板１に取り付けるときは、先ず、締付け用ナット１２付きの引掛用ボルト１１が幅広長穴部２２を貫通するように配置する。この後に、締付け用ナット１２が引掛け用リベットに干渉しないように、引掛用ボルト１１を幅狭長穴部２３に向かって平行移動させる。この状態で幅狭長穴部２３の縁面に締付け用ナット１２が引っ掛かるため、照明ケース５が引掛用ボルト１１に係合された状態が保持される。このとき、引掛用リベット２７があるため、引掛用ボルト１１が幅広長穴部２２に再び戻るように移動することが抑制される。
【００４０】
本実施形態によれば、第１の実施形態の効果を得ると共に、より安全に照明ケース５の交換作業を行うことが可能になる。
【００４１】
［第３の実施形態］
本発明に係るエレベータ乗りかごの第３の実施形態について、図１９および図２０を用いて説明する。図１９は、本実施形態のエレベータ乗りかごの引掛用ボルト１１および引掛用長穴２０等を模式的に示す概略正面図で、幅広長穴部２２に引掛用ボルト１１が挿入された状態を示している。図２０は、図１９の引掛用ボルト１１が、幅広長穴部２２から幅狭長穴部２３へ平行移動した後の状態を示す概略正面図である。なお、本実施形態は、第２の実施形態の変形例であって、第２の実施形態と同一部分または類似部分には、同一符号を付して、重複説明を省略する。
【００４２】
本実施形態のエレベータ乗りかごに取り付けられる照明ケース５は、幅広長穴部２２の幅狭長穴部２３側の縁面が、幅狭長穴部２３が延びる方向（長手方向）に向かって内向きに折り曲げられている。この長手方向折曲げ部２５によって、第２の実施形態と同様に、引掛用ボルト１１が幅狭長穴部２３にある状態のときに、引掛用ボルト１１が幅広長穴部２２に再び戻るように移動することが抑制される。
【００４３】
本実施形態によれば、第２の実施形態と同様に、より安全に照明ケース５の交換作業を行うことが可能になる。
【００４４】
［第４の実施形態］
本発明に係るエレベータ乗りかごの第４の実施形態について、図２１および図２２を用いて説明する。図２１は、本実施形態のエレベータ乗りかごの照明ケース５の側面部５ｂに形成された引掛用長穴２０等を模式的に示す概略側面図である。図２２は、図２１の幅広長穴部２２に引掛用ボルト１１が挿入される状態を示す概略正面図で、（ａ）は幅広長穴部２２にくさび形ナット２９付きの引掛用ボルト１１が挿入される前の状態を示し、（ｂ）は挿入途中の状態を示し、（ｃ）は挿入が完了した状態を示す。なお、本実施形態は、第３の実施形態の変形例であって、第３の実施形態と同一部分または類似部分には、同一符号を付して、重複説明を省略する。
【００４５】
本実施形態のエレベータ乗りかごに取り付けられる照明ケース５の幅広長穴部２２の両側の縁面それぞれには、幅狭長穴部２３が延びる方向に垂直な方向（幅方向）に向かって内向きに折り曲げられた幅方向折曲げ部２６が形成されている。また、引掛用ボルト１１のねじ部には、くさび形ナット２９が取り付けられている。
【００４６】
照明ケース５を天井板１に取り付けるときは、図２２（ａ）〜（ｃ）に示すように、くさび形ナット２９付きの引掛用ボルト１１が幅方向折曲部２６を弾性変形させながら、幅広長穴部２２を貫通する。
【００４７】
貫通後は、幅方向折曲部２６の弾性変形前の状態に戻るため、幅広長穴部２２に挿入されたくさび形ナット２９付きの引掛用ボルト１１が、幅広長穴部２２から抜けることを抑制することができる。よって、より安全に照明ケース５の交換作業を行うことが可能になる。
【００４８】
［第５の実施形態］
本発明に係るエレベータ乗りかごの第５の実施形態について、図２３および図２４を用いて説明する。図２３は、本実施形態のエレベータ乗りかごの照明ケース５の側面部５ｂに形成された引掛用長穴２０等を模式的に示す概略側面図である。図２４は、図２３の幅広長穴部２２に引掛用ボルト１１が挿入される状態を示す概略正面図で、（ａ）は幅広長穴部２２に締付け用ナット１２付きの引掛用ボルト１１が挿入される前の状態を示し、（ｂ）は挿入途中の状態を示し、（ｃ）は挿入が完了した状態を示す。なお、本実施形態は、第４の実施形態の変形例であって、第４の実施形態と同一部分または類似部分には、同一符号を付して、重複説明を省略する。
【００４９】
本実施形態のエレベータ乗りかごに取り付けられる照明ケース５の幅広長穴部２２の両側の縁面それぞれには、幅狭長穴部２３が延びる方向に垂直な方向（幅方向）に向かって内向きに変形可能な板ばね２８が取り付けられている。
【００５０】
照明ケース５を天井板１に取り付けるときは、図２４（ａ）〜（ｃ）に示すように、締付け用ナット１２付きの引掛用ボルト１１が板ばね２８を弾性変形させながら、幅広長穴部２２を貫通する。
【００５１】
貫通後は、板ばね２８は弾性変形前の状態に戻るため、第４の実施形態と同様に、幅広長穴部２２に挿入された締付け用ナット１２付きの引掛用ボルト１１が、幅広長穴部２２から抜けることを抑制することができる。よって、より安全に照明ケース５の交換作業を行うことが可能になる。
【００５２】
［第６の実施形態］
本発明に係るエレベータ乗りかごの第６の実施形態について、図２５および図２６を用いて説明する。図２５は、本実施形態のエレベータ乗りかごの引掛用ボルト１１が引掛用長穴２０の幅狭長穴部２３に挿入された状態、および固定用ボルト１５が固定用穴３０の小径部３２に挿入された状態を模式的に示す概略下面図である。図２６は、図２５の引掛用ボルト１１が嵌込部２４内にある状態、および固定用ボルト１５が大径部３１内にある状態を示す概略下面図である。なお、本実施形態は、第１の実施形態の変形例であって、第１の実施形態と同一部分または類似部分には、同一符号を付して、重複説明を省略する。
【００５３】
本実施形態のエレベータ乗りかごの照明ケース５は、取付け面部５ａの幅狭長穴部２３の端部から、この幅狭長穴部２３が延びる方向に垂直に延びる嵌込部２４が形成されている。この嵌込部２４は、幅狭長穴部２３に連通する穴で、取付け面部５ａを貫通するように形成されて、引掛用ボルト１１のねじ部が貫通可能である。また、この照明ケース５の固定用穴３０の大径部３１および小径部３２は、この順に、幅狭長穴部２３から嵌込部２４に向かう方向に一部重なるように形成されている。
【００５４】
この照明ケース５を天井板１に取り付けるときは、先ず、第１の実施形態と同様に、締付け用ナット１２付きの引掛用ボルト１１が幅広長穴部２２を貫通するように配置する。この後に、引掛用ボルト１１を幅狭長穴部２３に向かって平行移動させる。この状態で照明ケース５を回動させて、固定用穴３０の大径部３１に固定用ボルト１５を貫通させる。
【００５５】
この状態で、照明ケース５を、幅狭長穴部２３から嵌込部２４に向かう方向に平行移動させる。このとき、引掛け用ボルトは嵌込部２４に移動して、固定用ボルト１５は小径部３２へ移動する。
【００５６】
本実施形態によれば、上記のような嵌込部２４を形成することによって、照明ケース５が外れにくくなるため、第１の実施形態に比べて、安全性が向上する。
【００５７】
［第７の実施形態］
本発明に係るエレベータ乗りかごの第７の実施形態について、図２７〜図２９を用いて説明する。図２７は、本実施形態のエレベータ乗りかごの照明ケース５が回動して取付け面部５ａが天井面１ａに近づいている状態を模式的に示す概略正面図である。図２８は、図２７の取付け面部５ａが天井面１ａに接した状態を示す概略正面図である。図２９は、図２８のXXIX−XXIX矢視の固定用ボルト１５付近およびこの固定用ボルト１５に対向する引掛用ボルト１１等を示す下面図である。なお、本実施形態は、第１の実施形態の変形例であって、第１の実施形態と同一部分または類似部分には、同一符号を付して、重複説明を省略する。
【００５８】
本実施形態のエレベータ乗りかごは、天井面１ａにフックを備えた固定用ブラケット４１が配置されている。この固定用ブラケット４１は、固定用ボルト１５の付近に並ぶように取り付けられている。照明ケース５には、この固定用ブラケット４１に対応する固定用ブラケット穴３５が形成されている。この固定用ブラケット穴３５は、固定用穴３０に並ぶように形成されている。また、本実施形態の固定用穴３０は、図２９に示すように、貫通丸穴である。
【００５９】
照明ケース５を天井面１ａに取り付けるときは、第１の実施形態と同様に、照明ケース５を締付け用ナット１２に引っ掛けて、回動させる。
【００６０】
この後に、固定用ボルト１５を固定用穴３０に貫通させると共に、固定用ブラケット４１を固定用ブラケット穴３５に挿入する。固定用ブラケット４１のフックを固定用ブラケット穴３５の縁面に引っ掛けて、照明ケース５を固定する。この後に、この固定用穴３０を貫通している固定用ボルト１５に固定用ナット１６を取り付けて締め付けて固定する。
【００６１】
本実施形態によれば、照明ケース５を回動させた後に、より簡単に照明ケース５を固定することが可能になる。このため、取付け作業の効率が向上する。
【００６２】
［第８の実施形態］
本発明に係るエレベータ乗りかごの第８の実施形態について、図３０〜図３２を用いて説明する。図３０は、本実施形態のエレベータ乗りかごの照明ケース５が回動して取付け面部５ａが天井面１ａに近づいている状態を模式的に示す概略正面図である。図３１は、図３０の取付け面部５ａが天井面１ａに接した状態を示す概略正面図である。図３２は、図３１のXXXII−XXXII矢視の固定用ボルト１５付近およびこの固定用ボルト１５に対向する引掛用ボルト１１等を示す下面図である。なお、本実施形態は、第７の実施形態の変形例であって、第７の実施形態と同一部分または類似部分には、同一符号を付して、重複説明を省略する。
【００６３】
本実施形態のエレベータ乗りかごは、天井面１ａにフックを備えた穴あき固定用ブラケット４２が配置されている。この穴あき固定用ブラケット４２は、固定用ボルト１５の付近に並ぶように取り付けられている。この穴あき固定用ブラケット４２は、天井面１ａを貫通するように固定されたブラケット固定用ボルト４３に取り付けられている。穴あき固定用ブラケット４２に形成された穴にブラケット固定用ボルト４３が貫通した状態で、ブラケット固定用ナット４４で締め付けられて固定されている。ブラケット固定用ナット４４の締付けがゆるいときは、穴あき固定用ブラケット４２は、回転可能である。
【００６４】
照明ケース５を天井面１ａに取り付けるときは、第７の実施形態と同様に、照明ケース５を引掛用ナットに引っ掛けて、回動させる。
【００６５】
この後に、固定用ボルト１５を固定用穴３０に貫通させると共に、穴あき固定用ブラケット４２を固定用ブラケット穴３５に挿入して、穴あき固定用ブラケット４２を回転させてフックを固定用ブラケット穴３５の縁面に引っ掛ける。フックが縁面に引っ掛かった後に、ブラケット固定用ナット４４を締め付ける。これにより、照明ケース５を固定される。
【００６６】
この後に、第７の実施形態と同様に、この固定用穴３０を貫通している固定用ボルト１５に固定用ナット１６を取り付けて締め付けて固定する。
【００６７】
本実施形態によれば、第７の実施形態と同様の効果を得ると共に、ブラケット固定用ナット４４で穴あき固定用ブラケット４２を締め付けて固定するため、照明ケース５を支持する力を調整することが可能になる。
【００６８】
［第９の実施形態］
本発明に係るエレベータ乗りかごの第９の実施形態について、図３３〜図３５を用いて説明する。図３３は、本実施形態のエレベータ乗りかご照明ケース５が回動して取付け面部５ａが天井面１ａに近づいている状態を模式的に示す概略正面図である。図３４は、図３３の取付け面部５ａが天井面１ａに接した状態を示す概略正面図である。図３５は、図３４のXXXV−XXXV矢視の固定用ボルト１１付近およびこの固定用ボルト１５に対向する引掛用ボルト１１等を示す下面図である。なお、本実施形態は、第７の実施形態の変形例であって、第７の実施形態と同一部分または類似部分には、同一符号を付して、重複説明を省略する。
【００６９】
本実施形態のエレベータ乗りかごは、天井面１ａにフックを備えた固定用ブラケット４１が配置されている。この固定用ブラケット４１は、固定用ボルト１５の付近に並ぶように取り付けられている。照明ケース５には、この固定用ブラケット４１に対応する固定用ブラケット穴３５が形成されている。また、固定用ブラケット穴３５に近い側面部５ｂには、側面ブラケット５１が取り付けられている。この側面ブラケット５１は、固定用ブラケット４１のフックと係合可能に構成されている。
【００７０】
照明ケース５を天井面１ａに取り付けるときは、第１の実施形態と同様に、照明ケース５を引掛用ナットに引っ掛けて、回動させる。
【００７１】
この後に、固定用ボルト１５を固定用穴３０に貫通させると共に、固定用ブラケット４１を固定用ブラケット穴３５に挿入する。次に、固定用ブラケット４１のフックを側面ブラケット５１に係合させて、照明ケース５を固定する。
【００７２】
この後に、この固定用穴３０を貫通している固定用ボルト１５に固定用ナット１６を取り付けて締め付けて固定する。
【００７３】
本実施形態によれば、第７の実施形態と同様の効果を得ると共に、ブラケット同士を係合させるため、照明ケース５の固定強度が上がり、安全性が向上する。
【００７４】
［第１０の実施形態］
本発明に係るエレベータ乗りかごの第１０の実施形態について、図３６〜図３８を用いて説明する。図３６は、本実施形態のエレベータ乗りかごの照明ケース５が回動して取付け面部５ａが天井面１ａに近づいている状態を模式的に示す概略正面図である。図３７は、図３６の取付け面部５ａが天井面１ａに接した状態を示す概略正面図である。図３８は、図３７のXXXVIII−XXXVIII矢視の固定用ボルト１５付近およびこの固定用ボルト１５に対向する引掛用ボルト１１等を示す下面図である。なお、本実施形態は、第９の実施形態の変形例であって、第９の実施形態と同一部分または類似部分には、同一符号を付して、重複説明を省略する。
【００７５】
本実施形態のエレベータ乗りかごは、照明ケース５の固定用ブラケット穴３５の縁面に、固定用ブラケット４１に係合可能な側面係合部６１が形成されている。この側面係合部６１に固定用ブラケット４１が係合することで、照明ケース５を固定することが可能になる。側面係合部６１および固定用ブラケット４１を係合させた後に、固定用ナット１６を締め付けて照明ケース５を固定する。
【００７６】
本実施形態によれば、第９の実施形態と同様の効果を得ることが可能になる。
【００７７】
［第１１の実施形態］
本発明に係るエレベータ乗りかごの第１１の実施形態について、図３９を用いて説明する。図３９は、本実施形態のエレベータ乗りかごの照明ケース５が回動して取付け面部５ａが天井面１ａに接した状態を模式的に示す概略正面図である。なお、本実施形態は、第９の実施形態の変形例であって、第９の実施形態と同一部分または類似部分には、同一符号を付して、重複説明を省略する。
【００７８】
本実施形態のエレベータ乗りかごは、第８の実施形態の特徴および第９の実施形態の特徴を互いに組み合わせたものである。第９の実施形態で説明した側面ブラケット５１に、第８の実施形態で説明した穴あき固定用ブラケット４２を係合させて、照明ケース５が固定される。
【００７９】
これにより、側面ブラケット５１および穴あき固定用ブラケット４２の係合強度を調整することが可能になる。
【００８０】
［第１２の実施形態］
本発明に係るエレベータ乗りかごの第１２の実施形態について、図４０を用いて説明する。図４０は、本実施形態のエレベータ乗りかごの照明ケース５が回動した後に、取付け面部５ａが天井面１ａに接した状態を模式的に示す概略正面図である。なお、本実施形態は、第８の実施形態の変形例であって、第８の実施形態と同一部分または類似部分には、同一符号を付して、重複説明を省略する。
【００８１】
本実施形態のエレベータ乗りかごは、第８の実施形態の特徴および第１０の実施形態の特徴を互いに組み合わせたものである。第１０の実施形態で説明した側面係合部６１に、第８の実施形態で説明した穴あき固定用ブラケット４２を係合させて、照明ケース５が固定される。
【００８２】
これにより、側面係合部６１および穴あき固定用ブラケット４２の係合強度を調整することが可能になる。
【００８３】
［第１３の実施形態］
本発明に係るエレベータ乗りかごの第１３の実施形態について、図４１〜図４４を用いて説明する。図４１は、本実施形態のエレベータ乗りかごの照明ケース５が回動して取付け面部５ａが天井面１ａに近づいている状態を模式的に示す概略正面図である。図４２は、図４１の取付け面部５ａが天井面１ａに接した状態を示す概略正面図である。図４３は、図４２のXLIII−XLIII矢視側面図である。図４４は、図４３の穴あき側面ブラケット５２が回動して、固定用ブラケット４１との係合が外れた状態を示す側面図である。なお、本実施形態は、第９の実施形態の変形例であって、第９の実施形態と同一部分または類似部分には、同一符号を付して、重複説明を省略する。
【００８４】
本実施形態のエレベータ乗りかごの照明ケース５には、固定用ブラケット穴３５に近い側面部５ｂには、穴あき側面ブラケット５２が取り付けられている。この穴あき側面ブラケット５２は、固定用ブラケット４１のフックと係合可能に構成されている。
【００８５】
穴あき側面ブラケット５２は、側面部５ｂを貫通するように固定された側面ブラケット固定用ボルト５３に取り付けられている。穴あき側面ブラケット５２に形成された穴に側面ブラケット固定用ボルト５３が貫通した状態で、側面ブラケット固定用ナット５４で締め付けられることで、穴あき側面ブラケット５２は固定されている。側面ブラケット固定用ナット５４の締付けがゆるいときは、穴あき側面ブラケット５２は、回転可能である。
【００８６】
照明ケース５を天井板１に取り付けるときは、上記実施形態と同様に照明ケース５を回動させる。この後に、固定用ボルト１５を固定用穴３０に貫通させると共に、固定用ブラケット４１を固定用ブラケット穴３５に挿入する。この後に、穴あき側面ブラケット５２を回転させて、穴あき側面ブラケット５２および固定用ブラケット４１のフック同士を係合させて照明ケース５を固定する。
【００８７】
本実施形態によれば、第９の実施形態と同様の効果を得ると共に、側面ブラケット固定用ナット５４で穴あき側面ブラケット５２を締め付けて固定するため、照明ケース５を支持する力を調整することが可能になる。
【００８８】
［その他の実施形態］
上記実施形態の説明は、本発明を説明するための例示であって、特許請求の範囲に記載の発明を限定するものではない。また、本発明の各部構成は上記実施形態に限らず、特許請求の範囲に記載の技術的範囲内で種々の変形が可能である。
【００８９】
例えば、第２〜第５の実施形態の特徴のうちの１つと、第６〜第１３の実施形態のうちの１つとを互いに組み合わせることも可能である。
【符号の説明】
【００９０】
１…天井板、１ａ…天井面、２…照明器具、３…側板、４…かご床板、５…照明ケース、５ａ…取付け面部、５ｂ…側面部、６…照明カバー、９…かご室、１１…引掛用ボルト、１２…締付け用ナット、１５…固定用ボルト、１６…固定用ナット、２０…引掛用長穴、２２…幅広長穴部、２３…幅狭長穴部、２４…嵌込部、２５…長手方向折曲げ部、２６…幅方向折曲げ部、２７…引掛用リベット、２８…板ばね、２９…くさび形ナット、３０…固定用穴、３１…大径部、３２…小径部、３５…固定用ブラケット穴、４１…固定用ブラケット、４２…穴あき固定用ブラケット、４３…ブラケット固定用ボルト、４４…ブラケット固定用ナット、５１…側面ブラケット、５２…穴あき側面ブラケット、５３…側面ブラケット固定用ボルト、５４…側面ブラケット固定用ナット、６１…側面係合部
【図１】
0005575495.tif 000002
【図２】
0005575495.tif 000003
【図３】
0005575495.tif 000004
【図４】
0005575495.tif 000005
【図５】
0005575495.tif 000006
【図６】
0005575495.tif 000007
【図７】
0005575495.tif 000008
【図８】
0005575495.tif 000009
【図９】
0005575495.tif 000010
【図１０】
0005575495.tif 000011
【図１１】
0005575495.tif 000012
【図１２】
0005575495.tif 000013
【図１３】
0005575495.tif 000014
【図１４】
0005575495.tif 000015
【図１５】
0005575495.tif 000016
【図１６】
0005575495.tif 000017
【図１７】
0005575495.tif 000018
【図１８】
0005575495.tif 000019
【図１９】
0005575495.tif 000020
【図２０】
0005575495.tif 000021
【図２１】
0005575495.tif 000022
【図２２】
0005575495.tif 000023
【図２３】
0005575495.tif 000024
【図２４】
0005575495.tif 000025
【図２５】
0005575495.tif 000026
【図２６】
0005575495.tif 000027
【図２７】
0005575495.tif 000028
【図２８】
0005575495.tif 000029
【図２９】
0005575495.tif 000030
【図３０】
0005575495.tif 000031
【図３１】
0005575495.tif 000032
【図３２】
0005575495.tif 000033
【図３３】
0005575495.tif 000034
【図３４】
0005575495.tif 000035
【図３５】
0005575495.tif 000036
【図３６】
0005575495.tif 000037
【図３７】
0005575495.tif 000038
【図３８】
0005575495.tif 000039
【図３９】
0005575495.tif 000040
【図４０】
0005575495.tif 000041
【図４１】
0005575495.tif 000042
【図４２】
0005575495.tif 000043
【図４３】
0005575495.tif 000044
【図４４】
0005575495.tif 000045